(57)【要約】【課題】時刻修正に係る消費電流を低減することができる電波修正時計を提供する。【解決手段】クロック信号を生成する発振回路１３と、クロック信号Ｓ１３に基づいて時刻情報を計時する内部時計１４０１と、時刻表示を行う秒針駆動系１２０および時分針駆動系１３０と、標準時刻電波信号を受信する標準電波受信系１１と、標準時刻電波信号、および標準時刻電波信号を受信した時の内部時計１４０１が計時する時刻情報に基づいて内部時計１４０１が計時する時刻情報を補正するための補正情報Ｄを生成し、補正情報Ｄに基づいて内部時計１４０１が計時する時刻情報を修正し、標準電波受信系１１が受信した標準時刻電波信号と、補正情報Ｄに基づいて修正された内部時計１４０１が計時する時刻情報との誤差情報を基に受信タイミングを決定し、その受信タイミング時に標準時刻電波信号を基に時刻修正を行う制御回路１４とを設ける。【選択図】図１
2005091227.tif 000002
【特許請求の範囲】
【請求項１】
クロック信号を生成するクロック信号生成手段と、
前記クロック信号生成手段が生成したクロック信号に基づいて時刻情報を計時する内部時計と、
標準時刻電波信号を受信する標準電波受信手段と、
前記標準電波受信手段が受信する前記標準時刻電波信号、および前記標準時刻電波信号を受信した時の前記内部時計が計時する前記時刻情報に基づいた補正情報に応じて、前記内部時計が計時する時刻情報を修正し、前記標準電波受信手段が受信した標準時刻電波信号と、前記補正情報に基づいて修正された前記内部時計が計時する時刻情報との誤差情報に基づいた受信タイミングに、前記標準電波受信手段で受信した標準時刻電波信号に基づいて時刻修正を行う制御手段と
を有する電波修正時計。
【請求項２】
前記制御手段は、前記誤差情報の累積値から推定した時間を基に前記受信タイミングを決定し、前記受信タイミングまでは、前記補正情報に基づいて前記内部時計が計時する時刻情報を補正する
請求項１に記載の電波修正時計。
【請求項３】
前記制御手段は、前記補正情報に基づいて修正された前記内部時計が計時する時刻情報と、前記受信タイミング時に受信した標準時刻電波信号による誤差情報が、予め設定された閾値よりも大きい場合には、前記標準時刻電波信号に基づいて、前記補正情報を修正する
請求項１または請求項２に記載の電波修正時計。
【請求項４】
温度検出を行う温度検出手段を有し、
前記制御手段は、前記温度検出手段による温度検出結果に基づいて前記受信タイミング、前記補正情報、前記クロック信号生成手段が生成するクロック信号のいずれかを補正する
請求項１から請求項３のいずれか一に記載の電波修正時計。
【請求項５】
前記温度検出手段は、温度に応じた周波数で発振信号を生成する発振回路を含み、前記発振回路が生成する発振信号の周波数に基づいて前記温度検出を行う
請求項４に記載の電波修正時計。
【請求項６】
前記温度検出手段は、温度に応じた時定数で充電または放電を行う充放電回路を含み、前記充放電回路の充電時または放電時の電圧変化の時定数に基づいて前記温度検出を行う
請求項４に記載の電波修正時計。
【請求項７】
前記制御手段は、前記温度検出手段による温度検出結果の履歴情報に基づいて、前記受信タイミングを決定する
請求項４から請求項６のいずれか一に記載の電波修正時計。
【発明の詳細な説明】
【技術分野】
【０００１】
本発明は、例えば、通常時には補正情報により時刻修正を行い、その時刻修正による誤差に応じたタイミングで標準時刻電波信号を受信して時刻修正を行う電波修正時計に関するものである。
【背景技術】
【０００２】
従来、例えば水晶振動子による発振信号に基づいて計時を行う内部時計を含み、定期的に、標準時刻電波信号を受信して内部時計が計時する時刻情報および表示時刻の時刻修正を行う電波修正時計が知られている。
また、例えば受信状態が悪く適切に標準時刻電波信号を受信できなかった場合に、受信回数を増やす等、受信スケジュールを変更して、受信ができないことによる誤差の増加を防ぐ電波修正時計が知られている。
【０００３】
近年では、例えば定期的に受信する標準時刻電波信号と、内部時計が計時する時刻情報との所定時間間隔の誤差を基に補正値を算出し、その補正値に基づいて内部時計が計時する時刻情報を修正する電波修正時計が知られている（例えば特許文献１参照）。
【特許文献１】特開２００３−４８７６号公報
【発明の開示】
【発明が解決しようとする課題】
【０００４】
しかし、上述した電波修正時計は、標準時刻電波信号の受信状態の良し悪しに関わらず、最短で１分間から３分間、通常は５分間程度の受信時間が必要であり、電波受信に係る消費電流が比較的大きい。
また、適切に標準時刻電波信号を受信して時刻誤差が小さい場合であっても、時刻修正に係る消費電流は低減しない。
特に長電池寿命の時計、ソーラー発電方式の時計や、ウォッチ等の消費電流に厳しい制約がある時計の場合には、この消費電流を抑えた時計が望まれている。
【０００５】
ところで、特許文献１に開示された電波修正時計では、補正値に基づいて定期的に時刻修正を行うが、例えば温度変化等の外的環境により、補正値のみでは修正しきれない微小な誤差が生じ、その微小な誤差が累積することにより、長期的には内部時計が計時する時刻情報と標準時刻との間には大きな誤差が生じるという問題点がある。
【０００６】
本発明は、かかる事情に鑑みてなされたものであり、その目的は、時刻修正に係る消費電流を低減することができる電波修正時計を提供することにある。
【０００７】
また、本発明の他の目的は、補正値による時刻修正を行う場合であっても、標準時刻との誤差を低減することができる電波修正時計を提供することにある。
【課題を解決するための手段】
【０００８】
前記目的を達成するために、本発明の電波修正時計によれば、クロック信号を生成するクロック信号生成手段と、前記クロック信号生成手段が生成したクロック信号に基づいて時刻情報を計時する内部時計と、標準時刻電波信号を受信する標準電波受信手段と、前記標準電波受信手段が受信する前記標準時刻電波信号、および前記標準時刻電波信号を受信した時の前記内部時計が計時する前記時刻情報に基づいた補正情報に応じて、前記内部時計が計時する時刻情報を修正し、前記標準電波受信手段が受信した標準時刻電波信号と、前記補正情報に基づいて修正された前記内部時計が計時する時刻情報との誤差情報に基づいた受信タイミングに、前記標準電波受信手段で受信した標準時刻電波信号に基づいて時刻修正を行う制御手段とを有する。
【０００９】
本発明の電波修正時計によれば、クロック信号生成手段では、クロック信号を生成する。
内部時計では、クロック信号生成手段が生成したクロック信号に基づいて時刻情報を計時する。
標準電波受信手段では、標準時刻電波信号を受信する。
制御手段では、標準電波受信手段が受信する標準時刻電波信号、および標準時刻電波信号を受信した時の内部時計が計時する時刻情報に基づいた補正情報に応じて、内部時計が計時する時刻情報を修正し、標準電波受信手段が受信した標準時刻電波信号と、補正情報に基づいて修正された内部時計が計時する時刻情報との誤差情報に基づいた受信タイミングに、標準電波受信手段で受信した標準時刻電波信号に基づいて時刻修正を行う。
【発明の効果】
【００１０】
本発明によれば、時刻修正に係る消費電流を低減することができ、補正値による時刻修正を行う場合であっても、標準時刻との誤差を低減することができる電波修正時計を提供することができる。
【発明を実施するための最良の形態】
【００１１】
本発明の実施形態に係る電波修正時計は、例えば、所定回数、標準時刻電波信号を受信し、その時点での内部時計が計時する時刻情報の誤差を算出し、その誤差を基に補正情報を生成し、標準時刻電波信号を受信することなく、その補正情報に基づいて内部時計が計時する時刻情報を修正する。
電波修正時計は、所定時間経過後、標準時刻電波信号を受信し、補正情報を基に補正した内部時計の時刻情報と標準時刻との誤差を求め、その誤差に基づいて受信タイミングを決定し、受信タイミングまでは補正情報に基づいた時刻修正を行い、受信タイミングになると、標準時刻電波信号を受信して時刻修正や、補正情報の修正等を行う。
【００１２】
以下、図面を参照しながら、本発明に係る電波修正時計の一実施形態を説明する。
【００１３】
図１は本発明に係る電波修正時計の一実施形態の電気的な機能ブロック図である。図２は図１に示した電波修正時計の構成図、図３は図２に示した電波修正時計の断面の拡大図である。
【００１４】
本実施形態に係る電波修正時計１は、図１，２，３に示すように、標準電波受信系１１、時刻修正スイッチ１２、発振回路１３、制御回路１４、ドライブ回路１５、発光素子１６、バッファ回路１７、ドライブ回路１８、温度検出回路１９、ディスプレイ３０、時計本体１００、秒針用モータ１２１、時分針用モータ１３１、光検出センサ部１４０、手動修正系１５０、トランジスタＱ１，Ｑ２、および抵抗素子Ｒ１〜Ｒ４を有する。
【００１５】
発振回路１３は本発明に係るクロック信号生成手段に相当し、標準電波受信系１１は本発明に係る標準電波受信手段に相当し、制御回路１４は本発明に係る制御手段に相当する。
ドライブ回路１５、発光素子１６、バッファ回路１７、ドライブ回路１８、秒針用モータ１２１、時分針用モータ１３１、光検出センサ部１４０、および手動修正系１５０は本発明に係る表示手段に相当する。
【００１６】
表示手段は本実施形態に限られるものではない。例えば表示手段として、制御回路１４の制御により時刻表示を行う液晶表示装置等の所望の時刻表示装置であってもよい。
【００１７】
ディスプレイ３０は、例えば液晶表示装置等の時刻表示装置であり、制御回路１４により時刻表示を行う。
【００１８】
標準電波受信系１１は、例えば不図示の標準電波送信所から送信された標準時刻情報（時刻コードとも言う）を含む標準電波（標準時刻電波信号とも言う）を受信し、所定の処理を行い信号Ｓ１１として制御回路１４に出力する。
標準電波受信系１１は、例えばアンテナＡＮＴ、および長波電波受信回路（標準電波受信回路）１１１を有する。
【００１９】
長波受信回路１１１は、例えばアンテナＡＮＴを介して入力された標準時刻電波信号のデコードを行い、標準時刻信号を信号Ｓ１１として制御回路１４に出力する。詳細には長波受信回路１１１は、例えば不図示のＲＦアンプ、検波回路、波形整形回路を有し、増幅処理、検波処理、波形整形処理等を行い、処理結果の標準時刻信号を信号Ｓ１１として出力する。制御回路１４は信号Ｓ１１を基に時刻修正を行う。
【００２０】
また、例えば長波受信回路１１１は、制御回路１４から出力された、標準時刻電波信号の受信オン状態または受信オフ状態を制御させる制御信号ＣＴＬ１１に基づいて、標準時刻電波信号の受信オン状態または受信オフ状態を制御する。
【００２１】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
電波受信系１１で受信される標準電波は、図４（ａ）に示すような形態で送られてくる。
【００２２】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２３】
そして、受信状態が良好な場合には、電波受信系１１からは図４（ｂ）に示すように、標準電波信号に応じたパルス信号として信号Ｓ１１が、制御回路１４に出力される。
【００２４】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて受信状態の評価処理を行う。エッジｅｄ１およびエッジｅｄ２を区別しない場合には、単にエッジｅｄという。
【００２５】
次に、長波標準電波の送信データについて説明する。
図５は、標準時刻電波信号の時刻コードの一例を示している。図５（ａ）は毎時１５，４５分以外のフォーマット、図５（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２６】
時刻修正スイッチ１２は、例えば、時刻修正を行う際に操作され、操作に応じて信号Ｓ１２を制御回路１４に出力する。制御回路１４は、時刻修正スイッチ１２から信号Ｓ１２が入力されると時刻修正を行う。
【００２７】
発振回路１３は、水晶発振器ＣＲＹおよびキャパシタＣ２，Ｃ３により構成され、所定周波数のクロック信号Ｓ１３を制御回路１４に供給する。
【００２８】
図６は、図１に示した発振回路１３の温度特性を説明するための図である。
図６（ａ）は発振回路１３の標準温度ＺＴｃ（例えば２４°Ｃ）付近の周波数特性を示す図である。横軸は温度Ｔ（°Ｃ）、縦軸は発振周波数ｆを示す。図６（ｂ）は、発振回路１３において、水晶ＡＴ板（ＡＴカット）の温度特性を示す図である。
【００２９】
発振回路１３は、例えば内部に３２ｋＨｚカットの水晶振動子を設けた場合には、図６（ａ）に示すような標準温度ＺＴｃを中心とした２次温度特性の周波数の信号Ｓ１３を生成する。
また、例えば発振回路１３の内部に、ＡＴカットの水晶ＡＴ板を設けた場合には、図６（ｂ）に示すような３次温度特性の周波数の信号Ｓ１３を生成する。
例えば、本実施形態では図６（ａ）に示す温度特性の発振回路１３を用いる。
【００３０】
発振回路１３が例えば上述した温度特性を有している場合、内部時計１４０１は、発振回路１３で生成された信号Ｓ１３を基に時刻情報を計時するので、温度変化により標準時刻との誤差が生じる。
誤差には、個々の水晶発振器固有のばらつきによる要因や、上述した温度変化による要因等がある。
【００３１】
制御回路１４は、例えば、内部時計１４０１、およびメモリ１４０２を有する。
内部時計１４０１は、制御回路１４の内部時計１４０１は、クロック信号Ｓ１３に基づいて時刻情報を計時する。
内部時計１４０１は、例えば年情報カウンタ、月情報カウンタ、日情報カウンタ、曜情報カウンタ、時情報を計時する時カウンタ、分情報を計時する分カウンタ、および秒情報を計時する秒カウンタ等を含む。
【００３２】
メモリ１４０２は、例えば、制御回路１４のワークスペースとして用いられる。例えば、メモリ１４０２はＲＡＭ（Random Access Memory）やＲＯＭ（Read Only Memory）等で構成される。
メモリ１４０２は、例えば、本発明に係る処理を行わせる機能を含むプログラムや、補正情報Ｄ、後述する補正時刻変換表ＤＣ等を記憶する。例えば制御回路１４はプログラムを実行することにより本発明に係る処理を行う。また、制御回路１４はハードワイヤドにより本発明に係る処理を実行してもよい。
【００３３】
制御回路１４は、初期時に、標準電波受信系１１で受信された標準時刻電波信号を基に、内部時計１４０１が計時する時刻情報である年情報、月情報、日情報、曜日情報、時情報、分情報、および秒情報を修正し、内部時計１４０１が計時する時刻情報を基に表示時刻の修正を行う。
【００３４】
制御回路１４は、標準電波受信系１１が受信する標準時刻電波信号、および標準時刻電波信号を受信した時の内部時計１４０１が計時する時刻情報に基づいて、内部時計１４０１が計時する時刻情報を補正するための補正情報を生成する。
【００３５】
詳細には、例えば制御回路１４は、初期時には、複数回、標準電波受信系１１に標準時刻電波信号を受信させ、受信した時の内部時計１４０１が計時する時刻情報との誤差を算出し、例えば単位時間の誤差の平均値を算出し、その値を補正情報Ｄとして生成する。
【００３６】
制御回路１４は、所定の期間、生成した補正情報Ｄに基づいて内部時計１４０１が計時する時刻情報、および表示時刻の修正を行う。
また、制御回路１４は、標準電波受信系１１が受信した標準時刻電波信号と、補正情報Ｄに基づいて補正された内部時計１４０１が計時する時刻情報との誤差情報に基づいて受信タイミングを決定し、決定した受信タイミングになった場合に、標準電波受信系１１で受信した標準時刻電波信号に基づいて時刻修正および補正情報Ｄの修正を行う。
【００３７】
図７は、図１に示した制御回路１４の動作の一具体例を説明するための図である。横軸は時刻ｔ、縦軸は、標準時刻ＴＳに対する内部時計１４０１が計時する時刻情報との誤差Ｔｅｒを示す。また時刻修正を行わない場合の内部時計１４０１の累積誤差Ｈの一例も示す。
ここでは例えば制御回路１４が、一日毎に補正情報Ｄに基づいて時刻修正を行う場合を説明する。
【００３８】
制御回路１４は、例えば詳細には図７に示すように、時刻Ｔ０以前に、予め複数回、標準電波受信系１１が受信した標準時刻電波信号に基づいて補正情報Ｄを生成する。
時刻Ｔ０において、標準電波信号に基づいて、内部時計１４０１が計時する時刻情報と標準時刻の誤差を０に設定する。また制御回路１４は、後述するように表示時刻を標準時刻に設定する。
【００３９】
時刻Ｔ０から所定期間、例えば１日後（時刻Ｔ１）、例えば補正情報Ｄを基に、内部時計１４０１がクロック信号Ｓ１３に応じて計時する時刻情報の修正を行う。
例えば補正情報Ｄが、一日に平均１．００秒だけ標準時刻から遅れることを示す場合は、制御回路１４は、時刻Ｔ０から１日経過した時刻Ｔ１に、内部時計１４０１が計時する時刻情報ＴＮを１．００秒だけ進める時刻修正を行う。
【００４０】
時刻Ｔ１〜時刻Ｔ４において、制御回路１４は同様に、補正情報Ｄを基に時刻修正を行う。
制御回路１４は、所定期間後、例えば５日後（時刻Ｔ５）において、補正情報Ｄを基に時刻修正を行い、さらに標準時刻電波信号を受信して、これまでの補正情報Ｄによる時刻修正の結果と、標準時刻との誤差情報ＴＥを算出する。また制御回路１４は、その算出後、標準時刻に内部時計１４０１が計時する時刻情報および表示時刻を修正する。
【００４１】
制御回路１４は、その誤差情報ＴＥを基に基づいて、その補正情報Ｄにより継続して時刻修正を行う場合の誤差情報ＴＥの累積値が設定値になる時間（受信タイミング）を推定し、その時間までは補正情報Ｄにより継続して時刻修正を行う。
【００４２】
制御回路１４は、推定された受信タイミングになった場合には、標準時刻電波受信系１１に標準時刻電波信号を受信させ、標準時刻電波信号に基づいて、これまでの補正情報Ｄによる時刻修正の結果と、標準時刻との誤差情報ＴＥを算出し、同様に受信タイミンの推定を行う。
【００４３】
制御回路１４は、例えば、誤差情報ＴＥは１日の誤差に比べて小さい値であり、その誤差の累積が所定値、例えば１日分の誤差に達する時間を推定し、例えば１０日であれば９日間は補正情報Ｄにより時刻補正を行い、１０日目で標準時刻電波信号に基づいて誤差情報ＴＥを算出して時刻補正、および補正情報の修正等を行う。
【００４４】
また、制御回路１４は、誤差ＴＥが予め設定された値以上の場合には、何らかの環境変化があったと判別し、例えば複数回、所定の時間間隔で標準電波信号を受信して、補正値Ｄの修正を行う。
【００４５】
図８は、図１に示した電波修正時計のメモリ１４０２に記憶されている補正時刻変換表の一具体例を示す図である。
制御回路１４は、例えば補正情報Ｄに基づいて時刻修正を行う場合には、例えば一度に修正するのではなく、複数回に分けて修正することが好ましい。こうすることにより時刻修正時の指針の不自然な動作を軽減することができる。
例えば、制御回路１４は、内部時計１４０１が計時する時刻情報と、標準電波に含まれる標準電波信号との誤差に基づいて算出された、２４時間当たりの誤差を補正量とする。例えば、補正量は、以下に示す数式（１）により算出される。
【００４６】
〔数１〕
補正量＝誤差［（１／６４）秒を一単位］×２４［Ｈ］÷（前回の標準電波が正常に受信された時刻から今回の正常受信までの経過時間）［Ｈ］      …（１）
【００４７】
補正時刻変換表ＤＣは、補正量に応じて、所定の時間内に、内部時計１４０１の補正すべき補正時刻および補正回数を対応付ける表であり、例えば、補正時間は２４時間のうちに、略平均的に割りあてられて設定されている。
また、補正時刻変換表ＤＣでは、補正量の絶対値が大きいほど、補正回数が多くなるように設定されている。つまり、補正量の絶対値が大きいほど、補正時刻の数が多く設定されている。
【００４８】
また、補正時刻変換表ＤＣでは、補正時刻は、所定の間隔になるように設定されていることが望ましい。これは、内部時計１４０１の補正を１度に行わずに、少量ずつ、補正量に応じた回数で、なるべく所定の時間内で平均的になるように補正を行うためである。
制御回路１４は、この補正時刻変換表ＤＣを用いて、内部時計１４０１の現時刻および補正量により、補正時刻であるか否かを判別することができる。
【００４９】
補正時刻変換表ＤＣは、例えば図８に示すように、横の行が補正すべき時間の分桁、縦の列が補正すべき時間の時桁を示している。具体的には、補正時刻変換表ＤＣは、補正量が（１／６４）秒を一単位として±１の場合には、１４時００分に補正時刻が設定される。また、補正量１４ａが±２の場合には、１４時００分および２時００分に補正時刻が設定される。また、例えば、補正量１４ａが±５の場合には、１４時００分、２時００分、２０時００分、８時００分、１７時００分と、所定の間隔をおいて補正時刻が設定される。
【００５０】
制御回路１４、内部時計１４０１で示される時刻と、補正時刻変換表ＤＣから変換数値を求める。
制御回路１４は、後述の数式（２）を満たす場合に、つまり、補正時刻変換表ＤＣと内部時計１４０１の現時刻により求められた変換数値と、補正量の絶対値とを比較し、補正量の絶対値が変換数値以上になった時刻の場合には、内部時計１４０１の補正時刻動作を行う。
【００５１】
〔数２〕
変換数値≦｜補正量｜      …（２）
【００５２】
具体的には、制御回路１４は、例えば、補正量＋１の場合、時刻が１４時００分になると、補正時刻変換表ＤＣから、変換数値１を導出し、補正量＋１の絶対値と同一となるので、補正時刻と判別する。１５時００分では、補正時刻変換表１４ｂから、変換数値１１を導出し、補正量＋１の絶対値よりも大きいので、補正時刻ではないと判別する。
【００５３】
同様に、例えば、制御回路１４は、補正量が−２の場合には、時刻が２時００分になると、補正時刻変換表ＤＣから、変換数値２を導出し、補正量−２の絶対値と同一となるので、補正時刻と判別する。また、時刻が１４時００分になると、補正時刻変換表ＤＣから、変換数値１を導出し、補正量−２の絶対値よりも小さいので、補正時刻であると判別する。
【００５４】
制御回路１４は、誤差補正を行う場合には、例えば複数の発振回路が生成する発振信号に基づいて温度検出を行い、温度検出結果に基づいて、補正情報Ｄの修正や、受信タイミングの修正、発振回路１３が生成するクロック信号Ｓ１３の温度補償等を行う。
【００５５】
詳細には、温度検出回路１９は、温度検出を行い、その温度検出結果を示す信号Ｓ１９を制御回路１４に出力する。
【００５６】
図９は、図１に示した電波修正時計の温度検出回路の一具体例を説明するための図である。図９（ａ）は図１に示した電波修正時計の温度検出回路としてのＣＲ発振回路の機能ブロック図である。図９（ｂ）は図９（ａ）に示したＣＲ発振回路の発振信号Ｓ１９を示す図である。
【００５７】
本実施形態では、温度検出回路１９は、例えば図９（ａ）に示すように、サーミスタＲ１９、キャパシタＣ１９、インバータ１９１、およびインバータ１９２を有する。
直列接続されたインバータ１９１およびインバータ１９２の出力端が制御回路１４に接続され、インバータ１９１およびインバータ１９２の間にはサーミスタＲ１９の一端が接続され、サーミスタＲ１９の他端がインバータ１９１の入力端に接続され、キャパシタＣ１９が、サーミスタＲ１９の他端およびインバータ１９２の出力端間に接続されている。
【００５８】
本実施形態に係る電波修正時計１では、上述したように発振回路１３内の水晶発振器ＣＲＹによるクロック信号Ｓ１３、および、例えば指針の早送り動作時等に用いられる高速発振用のＣＲ（Capacitance Resistance）発振回路を有し、このＣＲ発振回路を温度検出回路として用いる。
【００５９】
図１０は、図９に示したサーミスタの抵抗値（レジスタンス）の温度特性を説明するための図である。
例えば、サーミスタＲ１９は、温度に応じて抵抗値（レジスタンス）が変化する。例えばサーミスタＲ１９は、図１０に示すように、温度２５°Ｃの場合には抵抗値３００Ω（オーム）であり、温度２６°Ｃの場合には抵抗値２８９．７Ω、…等である。
例えばキャパシタＣ１９は、温度に依存しないキャパシタンスを有する。
【００６０】
図９（ａ）に示すＣＲ発振回路１９は、例えば図９（ｂ）に示すように、サーミスタＲ１９の抵抗値（レジスタンス）ＲおよびキャパシタＣ１９のキャパシタンスＣによって決定する所定の周期Ｔの発振信号Ｓ１９を生成する。
例えば図９（ａ）に示したＣＲ発振回路１９の発振信号Ｓ１９の周期Ｔは、２πＲＣであり、周波数ｆは１／（２πＲＣ）である。
制御回路１４は、例えば、ＣＲ発振回路１９から入力された信号Ｓ１９の周波数ｆを計測し、計測結果と、予め設定されたキャパシタＣ１９のキャパシタンスＣから、サーミスタＲ１９の抵抗値（レジスタンス）Ｒを算出し、図１０に示すサーミスタＲ１９の温度特性の対応表に基づいて温度を検出する。
【００６１】
制御回路１４は、その温度検出結果に応じて、補正情報Ｄの修正や、受信タイミングの修正、発振回路１３が生成するクロック信号Ｓ１３の温度補償等を行う。
【００６２】
例えば、制御回路１４は、水晶発振器のばらつき要因については、補正情報Ｄを用いることにより誤差補正を行う。制御回路１４は、温度変化による要因については、温度検出回路１９の温度検出結果を示す信号Ｓ１９に基づいて誤差補正を行う。
【００６３】
具体的にはクロック信号Ｓ１３の温度補償の処理としては、制御回路１４は、温度検出回路１９による前回の温度検出結果が温度２４°Ｃの場合には、水晶発振器の温度係数、例えば３２ｋＨｚ水晶の２次温度係数は−０．０４ｐｐｍ／°Ｃ／°Ｃし、温度２４°Ｃから３１°Ｃに７°Ｃ上昇したとすると、温度係数に温度差の２乗を掛けた温度偏差は、−０．０４×７×７＝−１．９６ｐｐｍとなる。この結果を用いて、制御回路１４は、温度変化に起因した一日当りの誤差を算出する。
例えば−１．９６×８６４００／１００００００＝−０．１６９３秒／日となり、これが温度変化に起因する遅れである。
【００６４】
制御回路１４は、この一日当りの誤差を基に、前記補正した時点との温度差分と、計測間隔に基づいて、補正情報Ｄを追加補正することで温度変化による時間誤差を補正する。
【００６５】
例えば、制御回路１４は、温度検出回路１９による１回の温度検出結果を用いるよりも、設定された時間間隔で複数回温度検出した結果の平均値を用いることが好ましい。例えば制御回路１４は、温度検出回路１９に２４時間に４回の温度検出を行わせ、その平均値を用いて補正を行う。
【００６６】
制御回路１４は、内部時計１４０１が計時する標準時刻情報（時刻情報ともいう）に基づいて、予め設定された時刻（設定時刻）に時刻修正動作を行う。
【００６７】
制御回路１４は、標準時刻電波信号の受信状態が良好であると判別した場合には、アンテナＡＮＴを介して長波受信回路１１１が受信した標準時刻電波信号を基に、内部時計１４０１が計時する時刻情報を修正し、内部時計１４０１が計時する時刻情報を基に、秒針駆動系１２０および時分針駆動系１３０を駆動して、指針による表示時刻を修正する。
【００６８】
以下、より詳細に制御回路１４の機能を説明する。制御回路１４は、例えば初期状態、および時刻修正スイッチ１２が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００６９】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００７０】
制御回路１４は、所定の時間、例えば本実施形態では８秒間の標準時刻電波信号のサンプリング（例えば３２Ｈｚ）を行い、そのサンプリングの結果に基づいて受信状態を判定する。
【００７１】
詳細には、制御回路１４は、例えば電波受信系１１から入力される信号Ｓ１１３０のサンプリング（例えば３２Ｈｚ）を行い、エッジｅｄを検出し、そのエッジｅｄの有無や数に基いて受信状態を判定する。
【００７２】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００７３】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００７４】
制御回路１４は、電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００７５】
次に、電波修正時計のムーブメントおよび指針位置検出系の具体的な構成について、図２，３、図１１〜図２１に関連付けて説明する。
時計本体１００は、図３，４に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００７６】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００７７】
第１駆動系１２０は、図２に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｄに大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００７８】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。この第１の５番車１２２には、図１１に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００７９】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１４に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００８０】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００８１】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００８２】
秒針車１２３においては、図１４に示すように、複数（１１個）の透孔１２３ｃを設ける代わりに、図１５に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００８３】
第２駆動系１３０は、図２，３、および図１２に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００８４】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００８５】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１６に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００８６】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００８７】
また、分針車１３４には、図１７に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００８８】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００８９】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００９０】
また、時針車１３６には、図１８に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００９１】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００９２】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００９３】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からロウレベルのドライブ信号ＤＲ２が出力されたとき発光するようにドライブ回路１８に接続されている。
【００９４】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００９５】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００９６】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００９７】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００９８】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００９９】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【０１００】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【０１０１】
分針車１３４の分針パイプ１３４ｐの先端部および時針車１３６の時針パイプ１３６ｐの先端部には、図１９に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【０１０２】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【０１０３】
図２０は、図１に示した電波修正時計の指針位置検出処理の動作を示すフローチャートである。
制御回路１４は、指針駆動系を駆動して基準位置検出手段の検出処理に基づいて指針車の基準位置を検出した後、電波受信系１１のフェライトバーアンテナ１１０１および長波受信回路１１３０で受信した標準時刻電波信号に基づいて内部時計１４０１の計時時刻を修正し、内部時計１４０１の計時時刻に基づいて指針車の指針位置を設定する。
図２０を参照しながら指針位置検出処理を説明する。
【０１０４】
制御回路１４から時分用パルス信号出力パターンがセットされ（ＳＴ１０１）、ドライブ信号ＤＲ２がドライブ回路１８にロウレベルで出力される。これにより、トランジスタＱ２がオンし、発光素子１４２、すなわち発光ダイオードから検出光が発せられる。
【０１０５】
続いて、制御回路１４から制御信号ＣＴＬ１が出力されて秒針用ステッピングモータ１２１がパルス駆動され（ＳＴ１０２）、受光素子１４４すなわちフォトトランジスタがオンし、検出信号ＤＴ１がハイレベル（電源電圧Ｖccレベル）からロウレベルに切り換わったか否かの判別が行われる（ＳＴ１０３）。
【０１０６】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からロウレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からロウレベルに切り換わらない場合には、時分針用ステッピングモータ１３１が１ステップ（パルス）駆動され（ＳＴ１０７）、その後再び秒針用ステッピングモータ１２１がステップ駆動され（ＳＴ１０２）て、秒針車１２３が回転駆動される。
【０１０７】
一方、ステップＳＴ１０３において、フォトトランジスタによる検出信号ＤＴ１がハイレベルからロウレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１０８】
一方、得られた出力パターンと記憶された出力パターンとが適合した場合には、その時点（５ステップ目でもフォトトランジスタにより検出信号ＤＴ１のレベルがロウレベルに切り換わらない場合において次にフォトトランジスタの出力がロウレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【０１０９】
続いて、制御回路１４から制御信号ＣＴＬ２が出力されて時分針用ステッピングモータ１３１のみが所定の出力周波数でパルス駆動されて分針車１３４が早送りされる（ＳＴ１１１）。
【０１１０】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１１１】
一方、ステップＳＴ１１２の比較の結果、得られた出力パターンと記憶された出力パターンとが適合した場合は、その時点で、制御信号ＣＴＬ２の出力が停止され、時分針用ステッピングモータ１３１が停止されて、分針車１３４および時針車１３６の駆動が停止される（ＳＴ１１３）。
【０１１２】
ここで、出力パターンと予め記憶された出力パターンとの比較による時分針車の位置検出処理は、３種類のパターンのいずれかに合わせることにより行われる。
【０１１３】
図２１は、図１に示した電波修正時計の検出光の出力パターンを説明するための図である。
すなわち、分針車１３４によるフォトトランジスタの出力パターンは、図２１（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２１（ｂ）に示すように、遮光部が作用するオフの幅が３種類のＤ部、Ｅ部、Ｃ部が所定間隔をおいて交互に現れるようなパターンとなり、両者を合成した出力パターンは、図２１（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２１に示すパターンのうちオンとなるパターンの部分は、実際には３番車１３３の遮光部によりオフとなる部分があるので、歯抜け状のパターンとなっている。
【０１１４】
また、例えば分針車１３４および時針車１３６の基準位置として、図２１に示すように、０時００分、４時００分、および８時００分の位置に設定されている。
【０１１５】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用ステッピングモータ１３１を停止させることで、分針車１３４および時針車１３６すなわち分針および時針を所定の時刻に時刻修正することができる。
【０１１６】
そして、時分針用ステッピングモータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１１７】
また、剣付けモードの際に、時分針車の原点検索処理が短くなるような出荷位置ＴＳ、本実施形態では１０時３０分に設定する場合を図２１を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図２１に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置であることを検出し、Ｂ部およびＡ部を検出した時点で停止させることにより、時分針が所定の基準位置１２時００分に設定される。
【０１１８】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１１９】
図２２は、図１に示した電波修正時計の全体の動作の一具体例を説明するためのフローチャートである。図２２等を参照しながら、電波修正時計１の全体の動作を制御回路１４の動作を中心に説明する。
【０１２０】
ステップＳＴ１において、制御回路１４は、パラメータ等の初期設定を行う。
ステップＳＴ２において、制御回路１４は、受信オン状態に制御させる制御信号ＣＴＬ１１を出力する。標準電波受信系１１は制御信号ＣＴＬ１１を受けた場合には、標準時刻電波信号をアンテナＡＮＴを介して受信し、信号Ｓ１１として制御回路１４に出力する。
制御回路１４は、信号Ｓ１１に基づいて内部時計１４０１が計時する時刻情報を修正し、時刻表示手段としての秒針駆動系１２０および時分針駆動系１３０を駆動させて、指針による表示時刻の修正を行う。
【０１２１】
ステップＳＴ３において、制御回路１４は、発振回路１３が生成するクロック信号Ｓ１３に基づいて、内部時計１４０１による時刻情報、および秒針駆動系１２０および時分針駆動系１３０を駆動させて、指針による表示時刻を更新する。
【０１２２】
ステップＳＴ４において、制御回路１４は、所定時間経過後、例えば数時間経過後、標準電波受信系１１に上述したように標準時刻電波信号を受信させる。
ステップＳＴ５において、制御回路１４は、標準時刻電波信号による標準時刻と、その標準時刻電波信号を受信時の内部時計１４０１が計時する時刻情報に基づいて、標準時刻と時刻情報の誤差情報を算出する。
制御回路１４は、例えば算出した誤差情報から、単位時間当りの補正量を算出し、補正情報Ｄとして生成する。
【０１２３】
補正情報Ｄの精度を高くするためには、複数回、標準時刻電波信号を受信して長時間の平均誤差を基に補正情報Ｄを生成することが好ましい。
ステップＳＴ６において、制御回路１４では、設定回数、例えば複数回、具体的には３，４回、標準時刻電波信号を正常に受信できたか否かが判別され、設定回数より小さい場合には、ステップＳＴ３の処理に戻る。
一方、ステップＳＴ６の判別において、設定回数、標準電波信号を正常に受信したと判別した場合には、制御回路１４は、発振回路１３が生成するクロック信号Ｓ１３に基づいて、内部時計１４０１による時刻情報、および秒針駆動系１２０および時分針駆動系１３０を駆動させて、指針による表示時刻を更新する（ＳＴ７）。
【０１２４】
ステップＳＴ８において、制御回路１４は、例えば補正情報Ｄを基に内部時計１４０１が計時する時刻情報を補正するタイミングであるか否かが判別される。例えば具体的には、補正情報Ｄおよび図８に示した補正時刻変換表ＤＣに基づいて、補正タイミングを算出し、その算出した補正タイミングであるか否かが判別される。補正タイミングでないと判別された場合には、ステップＳＴ１０の処理に進む。
【０１２５】
一方、ステップＳＴ８の判別において、補正タイミングであると判別した場合には、制御回路１４は、補正情報Ｄに基づいて、内部時計１４０１が計時する時刻情報を修正（補正）し（ＳＴ９）、ステップＳＴ１０の処理に進む。
【０１２６】
ステップＳＴ１０において、制御回路１４は、標準時刻電波信号を受信させる受信タイミングであるか否かが判別される。受信タイミングは、初期の場合には、予め設定された期間後、例えば最後に標準時刻電波信号を受信した時から数日後に設定される。また、制御回路１４は、後述するように、誤差情報の累積値が設定値になる時間を推定し、推定された時間を基に受信タイミングを決定する。
制御回路１４は、受信タイミングでないと判別された場合には、ステップＳＴ７の処理に戻る。
【０１２７】
一方、ステップＳＴ１０の判別において、制御回路１４は受信タイミングであると判別された場合には、標準電波受信系１１に樹受信オン状態を制御させる制御信号ＣＴＬ１１を出力し、標準電波信号を受信させる。標準電波受信系１１は、その制御信号ＣＴＬ１１を受けた場合には、アンテナＡＮＴを介して受信した標準時刻電波信号を信号Ｓ１１として制御回路１４に出力する（ＳＴ１１）。
【０１２８】
ステップＳＴ１２において、制御回路１４では、標準電波受信手段が受信した標準時刻電波信号と、補正情報Ｄに基づいて修正された内部時計１４０１が計時する時刻情報との誤差情報を生成する。
【０１２９】
ステップＳＴ１３において、制御回路１４は、その誤差情報が予め設定された閾値、例えば０．５秒よりも小さい場合には、誤差情報の累積値が設定値になる時間を推定し、推定された時間を基に受信タイミングを決定し（ＳＴ１４）、受信した標準時刻電波信号に基づいて時刻修正を行い（ＳＴ１５）、ステップＳＴ７の処理に戻る。
また、制御回路１４は、決定した受信タイミングまでは、補正情報Ｄに基づいて内部時計１４０１が計時する時刻情報を補正する。
【０１３０】
具体的には、上述したように、制御回路１４は、例えば、誤差情報ＴＥは１日の誤差に比べて小さい値であり、その誤差情報の累積が所定値、例えば１日分の誤差に達する時間を推定し、例えば１０日であれば９日間は補正情報Ｄにより時刻補正を行い、１０日目で標準時刻電波信号に基づいて誤差情報を算出して時刻補正、および補正情報の修正等を行う。
【０１３１】
一方、ステップＳＴ１３において、誤差情報が閾値以上であると判別された場合には、制御回路１４は、環境の変化により、その補正情報Ｄが正常に機能していないと判別し、補正情報Ｄを修正する（ＳＴ１６）。
この補正情報Ｄの修正は、例えば上述したように、複数回、所定間隔で標準時刻電波信号を受信して、内部時計１４０１が計時する時刻情報との誤差情報に基づいて生成する。
制御回路１４は、受信した標準時刻電波信号を基に内部時計１４０１の時刻情報を修正し、表示時刻の修正を行う。ステップＳＴ１７の処理に戻る。
【０１３２】
以上説明したように、クロック信号Ｓ１３を生成する発振回路１３と、発振回路１３が生成したクロック信号Ｓ１３に基づいて時刻情報を計時する内部時計１４０１と、時刻表示を行う、秒針駆動系１２０および時分針駆動系１３０と、標準時刻電波信号を受信する標準電波受信系１１と、標準電波受信系１１が受信する標準時刻電波信号、および標準時刻電波信号を受信した時の内部時計１４０１が計時する時刻情報に基づいて内部時計１４０１が計時する時刻情報を補正するための補正情報Ｄを生成し、生成した補正情報Ｄに基づいて内部時計１４０１が計時する時刻情報を修正し、標準電波受信系１１が受信した標準時刻電波信号と、補正情報Ｄに基づいて修正された内部時計１４０１が計時する時刻情報との誤差情報に基づいて受信タイミングを決定し、決定した受信タイミングになった場合に標準電波受信系手１１で受信した標準時刻電波信号に基づいて時刻修正を行う制御回路１４とを設けたので、標準時刻電波信号の受信回数を少なくすることができ、時刻修正に係る消費電流を低減することができる。
【０１３３】
また、補正値による時刻修正を行う場合であっても、上述したように決定した受信タイミングで標準時刻電波信号を受信して時刻修正を行うので、標準時刻との誤差を低減することができる。
【０１３４】
また、制御回路は、誤差情報の累積値が設定値になる時間を推定し、推定された時間を基に受信タイミングを決定し、決定した受信タイミングまでは、補正情報Ｄに基づいて内部時計１４０１が計時する時刻情報を補正するので、定期的に標準時刻電波信号を受信する場合と比べて、受信回数を少なくすることができ、消費電流を低減することができる。
【０１３５】
また、制御回路１４は、補正情報Ｄに基づいて修正された内部時計１４０１が計時する時刻情報と、受信タイミング時に受信した標準時刻電波信号による誤差情報が、予め設定された閾値よりも大きい場合には、標準時刻電波信号に基づいて補正情報Ｄを修正するので、外的環境等が変化した場合であっても、補正情報Ｄを補正することにより、高精度の時刻修正を行うことができる。
【０１３６】
図２３は、図１に示した電波修正時計の動作の一具体例を説明するためのフローチャートである。図２３を参照しながら、温度補正を行う場合の動作を、図２２に示した処理との相違点のみ説明する。
【０１３７】
ステップＳＴ１からステップＳＴ１２、ステップＳＴ１４およびステップＳＴ１５の処理は、図２２に示した処理と同様なので説明を省略する。
【０１３８】
ステップＳＴ１３において、制御回路１４は、その誤差情報が予め設定された閾値、例えば０．５秒以上であると判別された場合には、温度検出回路１９の温度検出結果に基づいて、例えば所定の閾値以上の温度変化があったか否かが判別される（ＳＴ２０）。
【０１３９】
制御回路１４は温度変化が閾値よりも小さいと判別された場合には、上述したように補正情報Ｄを修正し（ＳＴ１６）、標準時刻電波信号に基づいて、時刻修正を行い（ＳＴ１７）、ステップＳＴ７の処理に戻る。
【０１４０】
一方、ステップＳＴ２０の判別において、制御回路１４は、温度検出回路１９の温度検出結果に基づいて、閾値以上の温度変化があったと判別された場合には、温度検出結果に基づいて、発振回路１３が生成するクロック信号Ｓ１３の温度補償を行う（ＳＴ２１）。
また、制御回路１４は、温度補償によりクロック信号Ｓ１３の周波数が変化したので、補正情報Ｄを修正を行う（ＳＴ２３）。補正情報Ｄの修正は、例えば上述したように複数回、所定時間間隔で受信された標準時刻電波信号に基づいて修正を行う。
また、制御回路１４は、受信タイミングの修正も行い（ＳＴ２４）、ステップＳＴ７の処理に戻る。受信タイミングとしては、例えば初期の受信タイミングに設定する等の修正を行う。
【０１４１】
以上、説明したように、本具体例では、温度検出回路１９による温度検出結果に基づいて、受信タイミング、補正情報Ｄ、発振回路１３が生成するクロック信号Ｓ１３のいずれかを補正するので、温度変化に応じた高精度な時刻修正を行うことができる。
【０１４２】
また、例えば、温度検出回路１９として、温度に応じた周波数の発振信号を生成するＣＲ発振回路を設け、制御回路１４が、ＣＲ発振回路が生成する発振信号の周波数に基づいて温度検出を行うので、簡単に温度変化を検出することができる。
また、温度検出回路１９として、通常、高速発振用に用いられているＣＲ発振回路を用いているので、新たに発振回路を設ける必要がなく、装置を小型化することができる。
【０１４３】
図２４は、図１に示した電波修正時計の温度検出回路の一具体例を示す機能ブロック図である。図２５は、図２４に示した温度検出回路のより詳細な機能ブロック図である。
本具体例に係る温度検出回路１９ａは、ＣＲ時定数回路１９５、および定電圧電源回路１９６を有する。
ＣＲ時定数回路１９５は、例えば温度に応じた時定数で充放電を行い、その検出結果を制御回路１４に出力する。
定電圧電源回路１９６は、ＣＲ時定数回路１９５に定電圧を供給する電源回路である。
【０１４４】
ＣＲ時定数回路１９５は、例えば具体的には図２５に示すように、レジスタＲ１９５１、キャパシタＣ１９５１、スイッチＳＷ１９５１、およびコンパレータ１９５２を有する。
スイッチＳＷ１９５１、レジスタＲ１９５１、およびコンパレータ１９５２が直列接続し、コンパレータの出力端が制御回路１４に接続されている。レジスタＲ１９５１とコンパレータ１９５２間には、キャパシタＣ１９５１の一端が接続され、キャパシタＣ１９５１の他端は、定電圧電源回路１９６を介してスイッチＳＷ１９５１に接続されている。
【０１４５】
スイッチＳＷ１９５１は、例えば制御回路１４の制御により、定電圧電源回路１９６とレジスタ１９５１間の導通状態または非導通状態を制御可能である。
レジスタＲ１９５１は、例えば温度に応じた抵抗値（レジスタンス）Ｒを有する、サーミスタである。
キャパシタＣ１９５１は、例えば所定値のキャパシタンスＣを有する。
コンパレータ１９５２は、例えば、予め設定された値と、レジスタＲ１９５１およびキャパシタＣ１９５１により形成されるＣＲ回路の電圧とを比較し、その比較結果に応じた信号を制御回路１４に出力する。
このＣＲ回路の充放電に係る時定数は、温度に応じて決定される。
【０１４６】
制御回路１４は、温度検出を行う場合には、例えばスイッチＳＷ１９５１を導通状態に設定させ、キャパシタＣ１９５１に電荷の充電を開始させ、その充電によりレジスタ１９５１およびキャパシタＣ１９５１間のノードＮ１９５１の電圧が、設定値になった場合に信号Ｓ１９５２を出力する。制御回路１４はスイッチＳＷ１９５１を導通状態に設定させた時から、ノードＮ１９５１の電圧が設定値になる時間を計測し、計測結果からＣＲ回路の時定数を算出する。
制御回路１４は、キャパシタＣ１９５１のキャパシタンスＣが略一定であるので、算出した時定数およびキャパシタンスＣに基づいて、レジスタＲ１９５１のレジスタンスＲを算出する。
制御回路１４は、算出したレジスタンスＲ、および、例えば図１０に示すようなレジスタンスの温度特性を基に温度検出を行う。  制御回路１４は、この温度検出を複数回行い温度変化を検出し、検出結果に基づいて受信タイミング、補正情報、発振回路１３が生成するクロック信号Ｓ１３のいずれかを補正する。
【０１４７】
また、制御回路１４は、ＣＲ回路の放電時の時定数を検出することにより、温度検出を行ってもよい。
例えば具体的には、制御回路１４は、キャパシタＣ１９５１に十分に電荷を充電した状態から、スイッチＳＷを非導通状態に制御するとにより、キャパシタＣ１９５１の電荷を放電させて、コンパレータ１９５２により、ノードＮ１９５１の電圧として所定値が検出されるまでの時間を基に、時定数を算出し、算出した時定数を基づいて、上述したように温度検出を行う。
【０１４８】
以上説明したように、本具体例では、温度検出回路として、レジスタＲ１９５１およびキャパシタＣ１９５１により構成され、温度に応じた時定数で充電または放電を行うＣＲ時定数回路１９ａと、ＣＲ時定数回路１９ａの充電時または放電時の電圧変化の時定数に基づいて温度検出を行い、その温度検出結果に基づいて、受信タイミング、補正情報、発振回路１３が生成する信号Ｓ１３のいずれかを補正する制御回路１４とを設けたので、簡単な構成要素で温度検出を行うことができ、標準電波信号の受信タイミングや、補正情報、発振回路１３が生成する信号Ｓ１３等を補正することができる。
【０１４９】
なお、本発明は本実施形態に限られるものではなく、任意好適な種々の変更が可能である。
本実施系形態では、温度検出回路として、温度特性を有するレジスタと、キャパシタにより構成されるＣＲ発振回路やＣＲ時定数回路により温度検出を行ったが、この形態に限られるものではない。
例えば、温度特性を有するキャパシタおよびレジスタにより、構成されるＣＲ発振回路やＣＲ時定数回路により温度検出を行ってもよい。
また、レジスタの抵抗値（レジスタンス）の電圧測定を行う電圧測定回路を設けて、その測定結果を基にレジスタンスを検出して、その値から温度検出を検出してもよい。
【０１５０】
また、比較的大きな温度誤差を持った水晶発振子によるクロック信号に基づいて、内部時計が時刻情報を計時する場合であっても、温度検出回路による温度検出結果に基づいて、クロック信号の温度補償や、補正情報Ｄによる時刻修正を行うことにより、消費電流が少なく、高精度に時刻修正を行うことができる。
【０１５１】
図２６は、温度検出回路による温度検出結果の温度履歴情報の一具体例を示す図である。横軸は時間ｔ（ｓｅｃ）、縦軸は温度Ｔ（°Ｃ）を示す。
また、制御回路１４は、例えば図２６に示すように、温度検出回路１９による温度検出結果を、温度履歴情報として、測定した時の時刻情報と関連付けて記憶し、その温度変化の傾向を基に、受信タイミング、補正情報、発振回路１３が生成するクロック信号Ｓ１３のいずれかを補正してもよい。
こうすることにより、例えば、春夏秋冬などの季節の変わり目において、これからの温度変化の傾向を予測して、受信タイミング、補正情報、発振回路１３が生成するクロック信号Ｓ１３のいずれかを補正することで、さらに高精度な時刻修正を行うことができる。
【図面の簡単な説明】
【０１５２】
【図１】本発明に係る電波修正時計の一実施形態の電気的な機能ブロック図である。
【図２】図１に示した電波修正時計の構成図である。
【図３】図２に示した電波修正時計の断面の拡大図である。
【図４】本発明に係る制御回路における電波受信状態を説明するための図である。
【図５】標準時刻電波信号の時刻コードの一例を示している。（ａ）は毎時１５，４５分以外のフォーマット、（ｂ）は毎時１５分，４５分のフォーマットを示す。
【図６】図１に示した発振回路１３の温度特性を説明するための図である。（ａ）は発振回路１３の標準温度ＺＴｃ（例えば２４°Ｃ）付近の周波数特性を示す図である。（ｂ）は、発振回路１３において、水晶ＡＴ板（ＡＴカット）の温度特性を示す図である。
【図７】図１に示した制御回路１４の動作の一具体例を説明するための図である。
【図８】図１に示した電波修正時計のメモリ１４０２に記憶されている補正時刻変換表の一具体例を示す図である。
【図９】図１に示した電波修正時計の温度検出回路の一具体例を説明するための図である。（ａ）は図１に示した電波修正時計の温度検出回路としてのＣＲ発振回路の機能ブロック図である。（ｂ）は（ａ）に示したＣＲ発振回路の発振信号Ｓ１９を示す図である。
【図１０】図９に示したサーミスタの抵抗値（レジスタンス）の温度特性を説明するための図である。
【図１１】電波修正時計の一部である分針および秒針を駆動する第１駆動系を示す平面図である。
【図１２】電波修正時計の一部である分針および時針を駆動する第２駆動系を示す平面図である。
【図１３】秒針を駆動する第１駆動系の一部をなす第１の５番車を示す平面図である。
【図１４】秒針を駆動する第１駆動系の一部をなす秒針車を示す平面図である。
【図１５】秒針を駆動する第１駆動系の一部をなす秒針車の他の例を示す平面図である。
【図１６】分針および時針を駆動する第２駆動系の一部をなす３番車を示す平面図である。
【図１７】分針および時針を駆動する第２駆動系の一部をなす分針車を示す平面図である。
【図１８】分針および時針を駆動する第２駆動系の一部をなす時針車を示す平面図である。
【図１９】分針パイプおよび時針パイプの先端部を示す端面図である。
【図２０】図１に示した電波修正時計の指針位置検出処理の動作を示すフローチャートである。
【図２１】図１に示した電波修正時計の検出光の出力パターンを説明するための図である。
【図２２】図１に示した電波修正時計の全体の動作を説明するためのフローチャートである。
【図２３】図１に示した電波修正時計の動作の一具体例を説明するためのフローチャートである。
【図２４】図１に示した電波修正時計の温度検出回路の一具体例を示す機能ブロック図である。
【図２５】図２４に示した温度検出回路のより詳細な機能ブロック図である。
【図２６】温度検出回路による温度検出結果の温度履歴情報の一具体例を示す図である。
【符号の説明】
【０１５３】
１…電波修正時計、１１…標準電波受信系、１２…時刻修正スイッチ、１３…発振回路、１４…制御回路、１５…ドライブ回路、１６…発光素子、１７…バッファ回路、１８…ドライブ回路、１９…温度検出回路（ＣＲ回路）、３０…ディスプレイ、１００…時計本体部（機械機構：ムーブメント）、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２３…秒針車（第２検出用歯車、第一指針車）、１２６…６番車、１２７…７番車、１３０…第２駆動系（時分針駆動系）、１３１…時分針用モータ（第２駆動源）、１３２…第２の５番車、１３３…３番車、１３４…分針車（第２指針車）、１３５…日の裏車、１３６…時針車（第２指針車）、１４０…光検出センサ、１４２…発光素子、１４３…回路基板、１４４…受光素子、１５０…手動修正系、１５１…手動修正軸、１４０１…内部時計、１４０２…メモリ。
【図１】
2005091227.tif 000003
【図２】
2005091227.tif 000004
【図３】
2005091227.tif 000005
【図４】
2005091227.tif 000006
【図５】
2005091227.tif 000007
【図６】
2005091227.tif 000008
【図７】
2005091227.tif 000009
【図８】
2005091227.tif 000010
【図９】
2005091227.tif 000011
【図１０】
2005091227.tif 000012
【図１１】
2005091227.tif 000013
【図１２】
2005091227.tif 000014
【図１３】
2005091227.tif 000015
【図１４】
2005091227.tif 000016
【図１５】
2005091227.tif 000017
【図１６】
2005091227.tif 000018
【図１７】
2005091227.tif 000019
【図１８】
2005091227.tif 000020
【図１９】
2005091227.tif 000021
【図２０】
2005091227.tif 000022
【図２１】
2005091227.tif 000023
【図２２】
2005091227.tif 000024
【図２３】
2005091227.tif 000025
【図２４】
2005091227.tif 000026
【図２５】
2005091227.tif 000027
【図２６】
2005091227.tif 000028